【手続補正書】
【提出日】平成22年9月24日(2010.9.24)
【手続補正１】
【補正対象書類名】特許請求の範囲
【補正対象項目名】全文
【補正方法】変更
【補正の内容】
【特許請求の範囲】
【請求項１】
認証文書および認可文書があらかじめ定義されたポリシーに従って組織にまたがるよう
なやり方で連結された２個またはそれ以上の組織を備えるフェデレーションを備えるネットワークコンピューティング環境において、第１のコンピューティングシステムが、
物理的なコンピュータ可読媒体にデータ構造を格納するステップであって、前記データ構造は、前記第１のコンピューティングシステムを含むフェデレーションに対する通信ポリシーを定義し、第１のフェデレーションについての又は前記第１のフェデレーション内の組織についてのメタデータの少なくとも１個または複数個のグループ分けを含むフィールドを備え、前記メタデータは、前記第１のフェデレーションの前記組織及び構造についての又は前記第１のフェデレーション内の前記組織についての情報を含み、前記第１のフェデレーションについての又は前記第１のフェデレーション内の組織についてのメタデータの前記１個または複数個のグループ分けのうち少なくとも１個は、明示的に定義されたメタデータを含むことなく、異なるデータ構造内のフェデレーションメタデータのブロック内の明示的に定義されたメタデータへの参照により、前記データ構造内に含まれ、フェデレーションメタデータの前記ブロックは、少なくとも１個の他のフェデレーションまたは組織の前記組織および構造についての明示的に定義された情報を含むメタデータを格納することのために使用され、前記データ構造は、前記第１のフェデレーションに対する、格納している継承されるフェデレーションメタデータを更に備え、前記第１のフェデレーションについての前記継承されるフェデレーションメタデータは、前記継承されるフェデレーションメタデータも適用する第２のフェデレーションの階層的に下である前記第１のフェデレーションに基づいて前記データ構造に含まれて、前記継承されるフェデレーションメタデータを、前記第１のフェデレーションが前記第２のフェデレーションから継承する、ステップと、
前記通信ポリシーを使用して、前記フェデレーションにおける第２のコンピューティングシステムと通信するステップと
を実行することを備えることを特徴とする方法。
【請求項２】
請求項１に記載の方法であって、参照により含まれる前記フェデレーションメタデータは、第２のフェデレーションを識別するフェデレーション識別子への参照に基づいて含まれて、前記第２のフェデレーションのフェデレーションメタデータは、前記第１のフェデレーションに適用可能であることを特徴とする方法。
【請求項３】
請求項１に記載の方法であって、参照により含まれる前記フェデレーションメタデータは、名前構造への参照に基づいて含まれることを特徴とする方法。
【請求項４】
請求項１に記載の方法において、参照により含まれる前記フェデレーションメタデータは、物理的な地理的場所への参照に基づいて含まれることを特徴とする方法。
【請求項５】
請求項１に記載の方法において、参照により含まれる前記フェデレーションメタデータに含まれる明示的なフェデレーションメタデータは、サービスエンドポイント参照から得られ、参照により含まれる前記フェデレーションメタデータに含まれる前記明示的なフェデレーションメタデータは、前記サービスエンドポイント内に埋め込まれることを特徴とする方法。
【請求項６】
請求項１に記載の方法において、参照により含まれる前記フェデレーションメタデータに含まれる明示的なフェデレーションメタデータは、標的サービスアドレスを与えられた周知のアドレスからフェッチされることを特徴とする方法。
【請求項７】
請求項１に記載の方法において、参照により含まれる前記フェデレーションメタデータに含まれる明示的なフェデレーションメタデータは、ＵＤＤＩ、ＤＮＳ、またはＬＤＡＰのうち少なくとも１個を含む辞書内の属性への参照により得られることを特徴とする方法。
【請求項８】
請求項１に記載の方法であって、フェデレーションメタデータのブロックへの前記参照は、１個または複数個の既存のフェデレーションへの参照を備えることを特徴とする方法。
【請求項９】
認証文書および認可文書があらかじめ定義されたポリシーに従って組織にまたがるよう
なやり方で連結された２個またはそれ以上の組織を備えるフェデレーションを備えるネットワークコンピューティング環境において、メタデータを取得する方法であって、前記方法は、第１のコンピューティングシステムが、
第１のフェデレーションについて又は前記第１のフェデレーション内の組織についてのメタデータの少なくとも１個または複数個のグループ分けを含むデータ構造のフィールドで第１のフェデレーションに対するフェデレーションメタデータを参照するステップであって、前記データ構造は、前記第１のコンピューティングシステムを含むフェデレーションに対する通信ポリシーを定義し、前記メタデータは、前記第１のフェデレーションの前記組織及び構造についての又は前記第１のフェデレーション内の前記組織についての情報を含み、前記第１のフェデレーションについての又は前記第１のフェデレーション内の組織についてのメタデータの前記１個または複数個のグループ分けのうち少なくとも１個は、明示的に定義されたメタデータを含むことなく、異なるデータ構造内のフェデレーションメタデータのブロック内の明示的に定義されたメタデータへの参照により、前記データ構造内に含まれ、フェデレーションメタデータの前記ブロックは、ポインタによって指定された場所で少なくとも１個の他のフェデレーションまたは組織の前記組織および構造についての情報を含むメタデータを格納することのために使用され、前記ポインタによって指示される前記フェデレーションメタデータの第２のフィールドは、前記第１のフェデレーションに加えて１個または複数個のフェデレーションに対して使用される、ステップと、
前記第１のフェデレーションに前記フェデレーションメタデータを適用するステップであって、前記フェデレーションメタデータは、前記第１のフェデレーションに対する継承されるフェデレーションメタデータを更に備え、前記第１のフェデレーションについての前記継承されるフェデレーションメタデータは、前記継承されるフェデレーションメタデータも適用する第２のフェデレーションの階層的に下である前記第１のフェデレーションに基づいて含まれて、前記継承されるフェデレーションメタデータを、前記第１のフェデレーションが前記第２のフェデレーションから継承する、ステップと、
前記通信ポリシーを使用して、前記フェデレーションにおける第２のコンピューティングシステムと通信するステップと
を実行することを備えることを特徴とする方法。
【請求項１０】
請求項９に記載の方法において、参照により含まれる前記フェデレーションメタデータは、第２のフェデレーションを識別するフェデレーション識別子への参照に基づいて含まれて、前記第２のフェデレーションのフェデレーションメタデータが、前記第１のフェデレーションに適用可能であることを特徴とする方法。
【請求項１１】
請求項９に記載の方法において、参照により含まれる前記フェデレーションメタデータは、物理的な地理的場所への参照に基づいて含まれることを特徴とする方法。
【請求項１２】
請求項９に記載の方法において、参照により含まれる前記フェデレーションメタデータに含まれる明示的なフェデレーションメタデータは、サービスエンドポイント参照から得られ、参照により含まれる前記フェデレーションメタデータに含まれる前記明示的なフェデレーションメタデータは、前記サービスエンドポイント内に埋め込まれることを特徴とする方法。
【請求項１３】
請求項９に記載の方法において、参照により含まれる前記フェデレーションメタデータに含まれる明示的なフェデレーションメタデータは、標的サービスアドレスを与えられた周知のアドレスからフェッチされることを特徴とする方法。
【請求項１４】
請求項９に記載の方法において、参照により含まれる前記フェデレーションメタデータに含まれる明示的なフェデレーションメタデータは、ＵＤＤＩ、ＤＮＳ、またはＬＤＡＰのうち少なくとも１個を含む辞書内の属性への参照により得られることを特徴とする方法。